(57)【要約】【課題】ウェディングの厳かな雰囲気や華やかさを保ち、列席者に対する新郎新婦からの感謝の気持ちを可能な限り表すようにする。【解決手段】ウェディング会場に模擬的なフラワーショップのコーナーを設ける。このフラワーショップは、来賓に対して進呈する複数のミニブーケを備える一方、ミニブーケには、各来賓を個別に特定できる有形の識別手段を配しておく。来賓はミニブーケをもって会場に入り、後刻、プレゼントの発表に際して識別手段を利用する。フラワーショップのコーナーには、来賓に対するメッセージを伝えるウェルカムボードを備えることが望ましい。【選択図】    図１
2004157622.tif 000002
【特許請求の範囲】
【請求項１】
ウェディング会場に模擬的なフラワーショップのコーナーを設け、
このフラワーショップは、来賓に対して進呈する複数のミニブーケを備える一方、
ミニブーケは、各来賓を個別に特定できる有形の識別手段を備えることを特徴とするウェディングの演出方法。
【請求項２】
フラワーショップは、そのコーナーの適宜箇所に来賓に対するメッセージを伝えるウェルカムボードを備えることを特徴とする請求項１記載のウェディングの演出方法。
【発明の詳細な説明】
【０００１】
【発明の属する技術分野】
本発明は、ウェディングの演出方法に係り、とくに新郎新婦から来賓に対して感謝の気持ちを伝えるための演出方法に関する。
【０００２】
【従来の技術】
日本における従来の結婚式（以下ウェディング）は、結婚の誓約を行うための儀礼的な挙式と披露宴とを別に行うのが一般であったが、近時、儀式張ったスタイルにこだわらず自由な雰囲気の中で新郎新婦と親族友人等が集まって、披露宴を行うケースが増えている。例えばレストランに集まって列席者が新郎新婦を祝う形式（いわゆるレストランウェディング）などである。
【０００３】
このようなウェディングでは、ホテルでの挙式、披露宴と異なり、同一の場所（レストランなど）で挙式と披露宴（パーティ）を行う。挙式に際しては、神父、神主、僧侶に依頼して、教会式、神前、仏前式など新郎新婦が望む誓約の儀式を執り行うことも出来るし、または宗教的色彩を完全に払拭して新郎新婦なりの自由な誓約式を行うこともできる。お仕着せになりがちで、勧められるままに費用が高騰しやすいホテルウェディング等に較べて、例えばレストランウェディングは、新郎新婦が自由な発想で式を演出できる好ましい利点がある。式次第の進行順序、ＢＧＭ、お色直し（イメージチェンジ）など、形骸化したマニュアルに拘束されずにプランニングすることも出来る。
【０００４】
【発明が解決しようとする課題】
ところで、このような自由形式のウェディングにも問題はある。それは、式次第の一切を新郎新婦の計画に委ねるにしても、人生経験が豊富とは云えない新郎新婦の多くは、いわゆるブライダルプロデュース会社に計画立案を依頼しがちであり、ブライダルプロデュース会社も多くのウェディングを手がけるうちに、ホテルウェディングの式次第と同じような手順を踏むため、結局は、ホテルウェディングと似たり寄ったりの式運営になってしまう傾向が強いという点である。
【０００５】
ウェディングは、親族友人が新郎新婦を祝うだけではなく、新郎新婦が親族友人に出来る範囲で感謝の気持ちを表したいと願う集いである。結婚という一種神聖な場であるから、厳かな雰囲気を壊さず、また楽しい雰囲気を演出しながら、お仕着せにならない印象的な演出を創案することは容易ではない。従来、計画立案のプロであるブライダルプロデュース会社の差別化は、主として、選択できるレストランの充実度、予算に応じた料理の内容などが尺度となった。しかし結局の所は、ホテルウェディングと内容において同質であり、例えばレストランで行うウェディングに特有な個性化や差別化を積極的に行う精神に欠けていた。
【０００６】
そこで本発明の目的は、厳かな雰囲気あるいは華やかさや楽しさを保つことが出来る限度内において、従来のウェディングにはみられない新しい演出方法を導入し、列席者に対する新郎新婦からの感謝の気持ちを可能な予算内で表すことが出来るようにする点にある。
【０００７】
【課題を解決するための手段】
前記目的を達成するため、本発明に係るウェディングの演出方法は、ウェディング会場に模擬的なフラワーショップのコーナーを設け、このフラワーショップは、来賓に対して進呈する複数のミニブーケを備える一方、ミニブーケは、各来賓を個別に特定できる有形の識別手段を備えるよう構成する。
【０００８】
フラワーショップは、そのコーナーの適宜箇所に来賓に対するメッセージを伝えるウェルカムボードを備える場合がある。
【０００９】
【作用】
ウェディング会場に、模擬的なフラワーショップのコーナーを設けることで、ウェディングの華やかさ、記念日としての特別の印象の雰囲気を醸し出す。出席者はミニブーケを受け取るが、その中には個人を特定できる識別手段が備えられており、識別手段を用いてプレゼントの贈呈その他の自由な利用目的を図ることが出来る。以下、具体的に説明する。
【００１０】
【発明の実施の形態】
図１は、本発明に係るフラワーショップを具体的に例示するものである。レストランの入り口など、あまりスペースを大きくとることが出来ない場所に模擬的なフラワーショップを設けるため、ミニブーケ１を多数配置するために、例えばテーブル２、イス３などを利用する。また４は、空間を仕切ってフラワーショップであることを演出するためのサインパネル、５は、出席者に対するメッセージを伝えるためのメッセージボードである。
【００１１】
テーブル２やイス３の個数は限定されない。また大きさも限定されない。サインパネル４は、例えば白色系統の麻布などにフラワーショップである旨を表示しておく。新郎新婦の名前、写真、好みの図柄など自由にデザインして良い。木板や金属ボードを使用しても良い。メッセージボード５は、例えばイーゼル（カンバススタンド）７を利用して見やすく好ましい雰囲気を演出する。メッセージボード５は、新郎新婦からの感謝の気持ちを素直に伝える手段として機能する。またフラワーショップの役割を説明する機能を与えても良い。
【００１２】
本発明に係るウェディングの演出方法は、ホテルで行う披露宴の演出を除外するものではないが、通常は、レストランウェディングのように、挙式と披露宴を同一の場所で行う際の個性的なウェディング演出を図るものである。ミニブーケ１に配する識別手段は、例えば、後に発表するプレゼントの受取人（当選者）を特定する手段として利用する。
【００１３】
この模擬的なフラワーショップは、花や花束を販売するものではなく、あくまでウェディング用に仮に設置する仮想的な店舗体裁である。このフラワーショップは、見かけ上は小さな花屋のようであり、来賓（出席者：列席者）の好みに応じて任意のミニブーケ１を進呈するため、必要な又は必要以上の花を揃えておくことが望ましい。
【００１４】
フラワーショップは、例えばウェディング会場の入り口に設けることが望ましい。会場の入り口からウェディングに出席する特別の感情や感慨を醸すためである。会場入り口のフラワーショップにより、来賓に対して視覚的な演出効果を提供できる。なお、フラワーショップは会場内（例えばレストラン内）に設置しても良い。ホテルの披露宴会場のよう新郎新婦との関係が薄い出席者も大勢出席する可能性が高い場所では、視覚的な演出効果よりもプレゼントに当たるかどうかが優先されるケースも少なくないからである。
【００１５】
ミニブーケ１は本来は小さな花束を意味する。しかし、フラワーショップには複数本で構成される花束に限らず一輪の花を用意しておいても良いし、花に限らず草木を用意しておいても良い。来賓（出席者）が望めば、ミニブーケ１に限らず一輪花や草木を進呈しても構わない。
【００１６】
来賓は、このフラワーショップで自分の好みに応じて任意のミニブーケ１を受け取る。ミニブーケ１には来賓を個別に特定できる有形の識別手段を配してある。識別手段を配する場所は、例えば、花を包むラッピング用紙やフィルムの内側である。秘匿しておく方が後の演出効果が大きく楽しみが増すからである。識別手段はどのような素材でも良い。糸や細紐で小さな番号札を花の茎に括り付けておいても良い。一輪花や草木に配する場合も同じである。
【００１７】
好ましくは、複数の花を非透明のラッピング材でまとめたミニブーケ１を用い、ラッピング材（例えば包装用紙）の中に個人を特定できる識別手段として番号札やキャラクターアイテムなどを秘匿させておく。
【００１８】
ミニブーケ１に配されている識別手段は、主として、ウェディングの任意の時点で行う新郎新婦（または親族）からのプレゼントの当選者を決めるためのものである。プレゼントの内容は自由である。有形物品の贈呈でも良いし、レストランの食事券や旅行券のような無形のもの（債権）であっても良い。またカラオケを歌う順序を強制する手段として利用など、必ずしも利益提供型の利用でなくても構わない。つまり新郎新婦から出席者に対してプレゼントという形で感謝の気持ちを表現する手段となっても良いし、簡単なスピーチや歌を促す等、擬似的、債務強制的な遊技手段として利用しても良い。
【００１９】
識別手段は、どのようなものであっても構わない。例えば番号札、キャラクターシール、小さな人形や模型、色紙を張り合わせたもの、複数のカラー糸やリボンを結んだものなどである。また識別手段は統一性を必要としない。あるものは特定銘柄のタバコ一本、あるものは一個のミニチュア品、あるものは一枚の写真、あるものは一枚のデパートのレシートなど、その識別手段を新郎新婦側で確認でき、どのような形式においても該当者（来賓）を特定できれば良いからである。例えば食事券のプレゼント該当者は番号札＊＊番をもった人、スピーチ強制はミニチュアキャラクターを受け取った人、といった具合である。
【００２０】
従って、このようなウェディングの演出方法によれば、従来のホテルウェディング等のような堅苦しさのない自由な雰囲気の中で行うウェディング形式においても、神聖な儀式行為に求められる厳かさや、パーティに求められる華やかさ、楽しさ、心に残る印象、といった各種の要素を損なうことなく、新郎新婦からの感謝の気持ちを出席者全員にミニブーケ１という形で素直に届けることが出来る。
【００２１】
また、ミニブーケ１に配した識別手段（有体物）を利用することにより、披露宴（パーティ）の余興を、さまざまな形式で盛り上げることが出来る。
【００２２】
なお、フラワーショップの体裁は新郎新婦の好みや予算等に応じて自由に設計して良いことは勿論である。用意する花の種類も、例えば新婦や新郎の出身地の花や思い出の花を用意するなど自由にアレンジして構わない。
【００２３】
【発明の効果】
以上説明したように、本発明に係るウェディングの演出方法によれば、厳かな雰囲気や華やかさを保つことが出来る限度で、列席者に対する新郎新婦からの感謝の気持ちを可能な限り具体的に表現することが可能となる。
【図面の簡単な説明】
【図１】本発明に係るフラワーショップの構成を例示する図である。
【符号の説明】
１  ミニブーケ
２  テーブル
３  イス
４  サインパネル
５  メッセージボード
７  イーゼル
【図１】
2004157622.tif 000003